(57)【要約】【課題】きわめて簡素な構成により製造コストの増加を抑えつつ、複数の書類を仕訳して収納することが可能な書類収納ファイルを提供する。【解決手段】本発明に係る書類収納ファイル１は、樹脂材料からなるシート材を用い、少なくとも一辺１１が折曲もしくは溶着によって閉じられた表紙２と裏表紙３との間に書類を収納する書類収納ファイルであって、裏表紙３は、閉じられた一辺１１と対向する位置の開口した一辺１３Ｂ寄りの端部領域において、外縁部３ａ側に設けられた起点２０ａから内方３ｂ側へ進んでから外縁部３ａ側に設けられた終点２０ｂに戻る連続線２０ｃで切込みが入れられて、起点２０ａと終点２０ｂとを結ぶ線を基線２０ｄとして、起点２０ａおよび終点２０ｂから最も離れた位置である頂部２０ｅが表紙２側へ向かう方向に、起立可能に形成されている主保持部２０を有し、主保持部２０は、開口した一辺１３Ｂと平行に所定の間隔をあけて複数個並設されている。【選択図】図２
2018058335.tif 000002
【特許請求の範囲】
【請求項１】
樹脂材料からなるシート材を用い、少なくとも一辺が折曲もしくは溶着によって閉じられた表紙と裏表紙との間に書類を収納する書類収納ファイルであって、
前記裏表紙は、前記閉じられた一辺と対向する位置の開口した一辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記表紙側へ向かう方向に、起立可能に形成されている主保持部を有し、
前記主保持部は、前記開口した一辺と平行に所定の間隔をあけて複数個並設されていること
を特徴とする書類収納ファイル。
【請求項２】
前記複数個の主保持部は、並設されている順に前記基線と前記頂部との間の長さ寸法が段階的に小さくもしくは大きくなるように形成されていること
を特徴とする請求項１記載の書類収納ファイル。
【請求項３】
前記裏表紙は、前記主保持部の位置に対応する外縁部において、外方側へ突出させたインデックス部を有すること
を特徴とする請求項１または請求項２記載の書類収納ファイル。
【請求項４】
前記表紙は、前記裏表紙の前記インデックス部の位置に対応する外縁部において、内方側へ切欠かれた切欠き部を有すること
を特徴とする請求項３記載の書類収納ファイル。
【請求項５】
前記表紙は、前記裏表紙の前記主保持部の位置に対応する位置の所定領域において、筆記具による直接記入が可能な印刷が施されたメモ欄を有すること
を特徴とする請求項１〜４のいずれか一項に記載の書類収納ファイル。
【請求項６】
前記表紙は、前記閉じられた一辺と対向する位置の開口した一辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記裏表紙側へ向かう方向に、起立可能に形成されている補助保持部を有すること
を特徴とする請求項１〜５のいずれか一項に記載の書類収納ファイル。
【請求項７】
樹脂材料からなるシート材を用い、少なくとも一辺が折曲もしくは溶着によって閉じられた表紙と裏表紙との間に書類を収納する書類収納ファイルであって、
前記裏表紙は、前記閉じられた一辺と対向する位置の開口した一辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記表紙側へ向かう方向に、起立可能に形成されている主保持部を有し、
前記主保持部は、前記開口した一辺と平行に所定の間隔をあけて２個設けられており、
前記表紙は、前記開口した一辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記裏表紙側へ向かう方向に、起立可能に形成されている補助保持部を有し、
前記表紙に直交する方向に視て、一の前記主保持部、前記補助保持部、他の前記主保持部がその順に所定間隔をあけて配設される構成を有し、
前記裏表紙は、前記主保持部の位置に対応する外縁部において、外方側へ突出させたインデックス部を有し、
前記表紙は、前記補助保持部の位置に対応する外縁部において、外方側へ突出させたインデックス部を有すること
を特徴とする書類収納ファイル。
【請求項８】
前記開口した一辺と直交する開口した上辺側に配設される一の前記主保持部における前記基線と前記頂部との間の長さ寸法が相対的に小さく形成され、
前記開口した一辺と直交する閉じられたもしくは開口した下辺側に配設される他の前記主保持部における前記基線と前記頂部との間の長さ寸法が相対的に大きく形成されていること
を特徴とする請求項７記載の書類収納ファイル。
【発明の詳細な説明】
【技術分野】
【０００１】
本発明は、樹脂材料からなるシート材を用いて形成された表紙と裏表紙との間に書類を収納する書類収納ファイルに関する。
【背景技術】
【０００２】
従来より、樹脂材料からなるシート材を用いて形成された書類収納ファイル（ホルダ）として、様々な構成が提案されている。簡素なものでは、シート材を折曲した後、一辺を溶着して表紙と裏表紙との間に書類を収納する構成が知られている（特許文献１参照）。また、このような構成をベースとして、収納する書類の落下防止を図るための押え片を備える構成も知られている（特許文献２参照）。
【０００３】
しかし、上記の特許文献１：実用新案登録第３０２８８９３号公報、特許文献２：特開２００１−２３２９８１号公報に例示される構成においては、書類を収納するスペースが一つであるため、内容や目的等に応じて複数の書類もしくは書類群（以下、単に「書類」と称する）を仕訳して収納することができないという課題があった。このような課題の解決を図るものとして、例えば、複数の収納部を設けることにより、複数の書類を仕訳して収納することが可能な構成が知られている（特許文献３：実用新案登録第３０３８７５２号公報参照）。
【先行技術文献】
【特許文献】
【０００４】
【特許文献１】実用新案登録第３０２８８９３号公報
【特許文献２】特開２００１−２３２９８１号公報
【特許文献３】実用新案登録第３０３８７５２号公報
【発明の概要】
【発明が解決しようとする課題】
【０００５】
製造コストの観点からすれば特許文献１に例示されるような折曲・溶着した単純な構成が有利である。また、さらに収納した書類の落下防止を図ることが可能な機構が追加された特許文献２に例示されるような構成であっても、大幅なコスト増加は生じない。しかしながら、これらの構成では、複数の書類を仕訳して収納することができない。一方、複数の書類を仕訳して収納することを可能とするために、特許文献３に例示されるような複数枚のシートを用いて複数の収納部を設ける構成とした場合には、原材料コストおよび加工コストのいずれもが増加してしまうため、製造コストが大幅に増加してしまうという課題が生じ得る。
【課題を解決するための手段】
【０００６】
本発明は、上記事情に鑑みてなされ、きわめて簡素な構成により製造コストの増加を抑えつつ、複数の書類を仕訳して収納することが可能な書類収納ファイルを提供することを目的とする。
【０００７】
本発明は、以下に記載するような解決手段により、前記課題を解決する。
【０００８】
本発明に係る書類収納ファイルは、樹脂材料からなるシート材を用い、少なくとも一辺が折曲もしくは溶着によって閉じられた表紙と裏表紙との間に書類を収納する書類収納ファイルであって、前記裏表紙は、前記閉じられた一辺と対向する位置の開口した一辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記表紙側へ向かう方向に、起立可能に形成されている主保持部を有し、前記主保持部は、前記開口した一辺と平行に所定の間隔をあけて複数個並設されていることを要件とする。
【発明の効果】
【０００９】
本発明によれば、きわめて簡素な構成により製造コストの増加を抑えつつ、複数の書類を仕訳して収納することが可能な書類収納ファイルを実現することができる。
【図面の簡単な説明】
【００１０】
【図１】本発明の第１の実施形態に係る書類収納ファイルの例を示す正面図である。
【図２】図１に示す書類収納ファイルの裏表紙の例を示す正面図（表紙を開いた状態）である。
【図３】図１に示す書類収納ファイルの主保持部の例を示す斜視図（表紙を開いた状態）である。
【図４】図１の書類収納ファイルを用いて書類を収納する動作を説明する説明図である。
【図５】図１の書類収納ファイルを用いて書類を収納する動作を説明する説明図（図４に連続する図）である。
【図６】図１の書類収納ファイルを用いて書類を収納する動作を説明する説明図（図５に連続する図）である。
【図７】本発明の第２の実施形態に係る書類収納ファイルの例を示す正面図である。
【図８】本発明の第３の実施形態に係る書類収納ファイルの例を示す斜視図（表紙を開いた状態）である。
【図９】本発明の第４の実施形態に係る書類収納ファイルの例を示す正面図である。
【図１０】図９に示す書類収納ファイルの裏表紙の例を示す正面図（表紙を開いた状態）である。
【図１１】図９の書類収納ファイルを用いて書類を収納する動作を説明する説明図である。
【図１２】図９の書類収納ファイルを用いて書類を収納する動作を説明する説明図（図１１に連続する図）である。
【図１３】図９の書類収納ファイルを用いて書類を収納する動作を説明する説明図（図１２に連続する図）である。
【発明を実施するための形態】
【００１１】
（第１の実施形態）
以下、図面を参照して、本発明の第１の実施形態について詳しく説明する。図１は、本実施形態に係る書類収納ファイル１の例を示す概略図（正面図）である。また、図２は、書類収納ファイル１の表紙２を開いた（めくった）状態の概略図（正面図）である。また、図３は、書類収納ファイル１の主保持部２０の構成（作用）を説明するための斜視図である。なお、本文において、便宜的に図１に示す位置における、左辺、右辺、上辺、下辺の語を用いて説明を行う。また、実施形態を説明するための全図において、同一の機能を有する部材には同一の符号を付し、その繰り返しの説明は省略する場合がある。
【００１２】
書類収納ファイル１は、図１、図２に示すように、シート材からなる表紙２と裏表紙３との間に書類を挟み込んで収納する収納具である。本実施形態においては、１枚の矩形のシート材が中央で折曲されることによって、閉じられた一辺（図１の左辺）１１により連結された表紙２および裏表紙３が形成されている。これと共に、当該左辺１１と対向する位置には、書類の出し入れ部となる開口した一辺（図１の右辺）１３が形成されている。あるいは、変形例として、２枚の矩形のシート材が溶着もしくは接着されることによって、閉じられた一辺（左辺）１１が形成される構成としてもよい（不図示）。なお、シート材には、ポリプロピレン等の樹脂材料が用いられているが、透明度、色彩、模様等については特に限定されるものではない。
【００１３】
一方、上方の辺（図１の上辺）１４は、書類の出し入れを容易にするために、開口した辺として形成されている。ただし、これに限定されず、閉じられた辺としてもよい（不図示）。また、下方の辺（図１の下辺）１２は、書類の落出を防止するために、閉じられた辺として形成されている。ただし、これに限定されず、開口した辺としてもよい（不図示）。なお、一例として、下辺１２は溶着（熱溶着）によって形成されているが、これに限定されるものではなく、接着等によって形成される構成としてもよい。
【００１４】
ここで、本実施形態に特徴的な構成として、裏表紙３には、書類の端部を挟み込むように保持する主保持部２０が設けられている。より具体的には、図２、図３に示すように、主保持部２０は、裏表紙３の右辺１３（１３Ｂ）寄りの端部領域において、外縁部３ａ側に設けられた起点２０ａから内方３ｂ側へ進んでから外縁部３ａ側に設けられた終点２０ｂに戻る連続線（切込み線）２０ｃで切込みが入れられることによって、当該連続線（切込み線）２０ｃと、起点２０ａと終点２０ｂとを結ぶ基線２０ｄとで囲まれる領域として形成されている。この構成によれば、基線２０ｄの位置を支点として、基線２０ｄの位置から最も離れた位置となる頂部２０ｅが表紙２側へ向かう方向に起立する動作が可能となる。したがって、表紙２と裏表紙３との間に書類を挟み込んだ後、主保持部２０を起立させてから戻すように動作させることによって、主保持部２０で書類の端部を挟み込んで保持することができる。
【００１５】
そのため、主保持部２０の配設位置は、収納する書類の対応寸法に適合するように設定されている。具体的には、閉じられた左辺１１と基線２０ｄとの間の長さ寸法が、収納する書類の対応寸法よりも大きく、且つ、閉じられた左辺１１と頂部２０ｅとの間の長さ寸法が、収納する書類の対応寸法よりも小さくなるように設けられている。
【００１６】
上記の構成を備える主保持部２０は、開口した右辺１３（１３Ｂ）に沿って（すなわち、右辺１３（１３Ｂ）と平行の方向に）所定の間隔をあけて複数個並設されている（符号２０Ａ、２０Ｂ、２０Ｃで示す）。この構成によれば、表紙２と裏表紙３とで挟まれる単一の空間内に複数の書類を仕訳して収納することが可能となる。本実施形態においては、主保持部２０が３個（２０Ａ、２０Ｂ、２０Ｃ）である場合を例に挙げて説明するが、２個もしくは４個以上としてもよい（不図示）。
【００１７】
また、主保持部２０（２０Ａ、２０Ｂ、２０Ｃ）が設けられる位置に対応して、裏表紙３の外縁部３ａには、外方側へ突出させたインデックス部２２（２２Ａ、２２Ｂ、２２Ｃ）が設けられている。これにより、仕訳して収納した複数の書類の内容をそれぞれ表示（記載）することができるため、書類の管理を確実に行うことができる。
【００１８】
ここで、具体的な収納方法について、図４〜図６を用いて説明する。
先ず、図４（ａ）に示すように、第１の書類（書類群）Ｐ１を表紙２と裏表紙３との間に収納する。次いで、図４（ｂ）に示すように、閉じられた下辺１２側から１番目の第１の主保持部２０（２０Ａ）を第１の書類Ｐ１（ここでは最上面の書類）よりも上まで起立させてから戻すことによって、第１の書類Ｐ１の端部（ここでは右端部）を挟み込んで保持を行う。
【００１９】
次いで、図５（ａ）に示すように、第２の書類（書類群）Ｐ２を表紙２と先に第１の主保持部で保持された第１の書類Ｐ１（ここでは最上面の書類）との間に収納する。次いで、図５（ｂ）に示すように、閉じられた下辺１２側から２番目の第２の主保持部２０（２０Ｂ）を第２の書類Ｐ２（ここでは最上面の書類）よりも上まで起立させてから戻すことによって、第２の書類Ｐ２の端部（ここでは右端部）を挟み込んで保持を行う。
【００２０】
次いで、図６（ａ）に示すように、第３の書類（書類群）Ｐ３を表紙２と先に第２の主保持部で保持された第２の書類Ｐ２（ここでは最上面の書類）との間に収納する。次いで、図６（ｂ）に示すように、閉じられた下辺側から３番目の第３の主保持部を第３の書類Ｐ３（ここでは最上面の書類）よりも上まで起立させてから戻すことによって、第３の書類Ｐ３の端部（ここでは右端部）を挟み込んで保持を行う。
【００２１】
このように、上記構成による収納方法によれば、表紙２と裏表紙３との間に形成される単一空間において、複数の書類を仕訳して収納することが可能となる。すなわち、複数個の例として３個の主保持部２０（２０Ａ、２０Ｂ、２０Ｃ）を有する場合には、第１の書類Ｐ１が裏表紙３と第１の主保持部２０Ａとの間に仕訳して収納でき、第２の書類Ｐ２が第１の主保持部２０Ａと第２の主保持部２０Ｂとの間に仕訳して収納でき、第３の書類Ｐ３が第２の主保持部２０Ｂと第３の主保持部２０Ｃとの間に仕訳して収納できる。なお、図示を省略するが、第３の主保持部２０Ｃと表紙２との間に第４の書類を仕訳して収納することも構造上可能となっている。
【００２２】
したがって、複数の書類を収納するに際して、特許文献３に例示されるように複数のシートを溶着等して内部を仕切る構成を設ける必要がないため、原材料コストは増加せず、加工コストも主保持部の形成つまり切込み線の追加のみで対応でき、コスト増を抑制できるため、製造コストの増加という前述の課題の解決が可能となる。
【００２３】
さらに、本実施形態に特徴的な構成として、複数個（ここでは３個）の主保持部２０（２０Ａ、２０Ｂ、２０Ｃ）は、閉じられた下辺１２側から並設されている順に基線２０ｄと頂部２０ｅとの間の長さ寸法が段階的に大きくなるように形成されている。具体的には、閉じられた下辺１２側から並設されている順に、１番目の第１の主保持部２０Ａの基線２０ｄと頂部２０ｅとの長さＬ１が最も小さく、２番目の第２の主保持部２０Ｂの基線２０ｄと頂部２０ｅとの長さＬ２が２番目に小さく、３番目の第３の主保持部２０Ｃの基線２０ｄと頂部２０ｅとの長さＬ３が最も大きくなるように構成されている。
【００２４】
この構成によれば、第１の書類Ｐ１のみを保持する第１の主保持部２０Ａの長さＬ１は、保持書類の厚さが相対的に薄いため、相対的に小さく形成して、保持操作を容易に行えるようにしている。仮に、大きく形成してしまうと、閉じられた下辺１２に近い位置であって表紙２と裏表紙３との距離を大きく取る（開口する）ことができない位置であるため、保持操作が行い難いものとなる。一方、第１の書類Ｐ１、第２の書類Ｐ２、および第３の書類Ｐ３の全てを保持する第３の主保持部２０Ｃの長さＬ３は、保持書類の厚さが相対的に厚いため、相対的に大きく形成して、書類が厚い場合であっても確実に保持を行えるようにしている。仮に、小さく形成してしまうと、挟み込む領域が小さくなり、保持が不十分となってしまうため、書類の仕訳ができない、あるいは書類が落出してしまう等の不具合が生じ得る。なお、中間位置となる第２の主保持部２０Ｂの長さＬ２は、第１の主保持部２０Ａの長さＬ１と、第３の主保持部２０Ｃの長さＬ３との中間値に設定すればよい。
【００２５】
このように、収納作業（保持操作）を容易に行うために、複数個の主保持部２０（２０Ａ、２０Ｂ、２０Ｃ）は、閉じられた下辺１２側から並設されている順に基線２０ｄと頂部２０ｅとの間の長さ寸法が段階的に大きくなるように形成されていることが好ましい。ただし、図示を省略するが、下辺１２が開口した一辺として形成されている場合には、閉じられた下辺１２側から並設されている順に基線２０ｄと頂部２０ｅとの間の長さ寸法が段階的に小さくなるように形成してもよい。
【００２６】
ここで、複数個の主保持部２０（２０Ａ、２０Ｂ、２０Ｃ）は、それぞれの基線２０ｄの位置が同一線上となるように配設されていることが好ましい。これによれば、複数の書類を仕訳して収納する際に、各書類の端部位置を揃えた状態で保持することできるため、整然とした状態での収納が可能となる。さらに、基線２０ｄの位置がばらつかないため、裏表紙３の外縁部３ａに設けられるインデックス部２２（２２Ａ、２２Ｂ、２２Ｃ）の形状（特に、横方向寸法）を統一することができ、且つ、裏表紙３の形状（特に、横方向寸法）をコンパクトに形成することができる。
【００２７】
さらに、表紙２には、裏表紙３のインデックス部２２（２２Ａ、２２Ｂ、２２Ｃ）の位置に対応する外縁部２ａにおいて、内方２ｂ側へ切欠かれた切欠き部２４が設けられている。これによれば、裏表紙３の外縁部３ａに設けられるインデックス部２２（２２Ａ、２２Ｂ、２２Ｃ）に関して、外方への突出量を増やすことなく、横方向寸法を大きく形成することができるため、表示（記載）する情報量を増やすことができ、且つ、裏表紙３の形状（特に、横方向寸法）をコンパクトに形成することができる。
【００２８】
（第２の実施形態）
続いて、本発明の第２の実施形態に係る書類収納ファイル１について説明する。本実施形態に係る書類収納ファイル１は、前述の第１の実施形態と基本的な構成は同様であるが、特に、表紙２およびインデックス部２２の構成において相違点を有する。以下、当該相違点を中心に本実施形態について説明する。ここで、本実施形態に係る書類収納ファイル１の概略図（正面図）を図７に示す。
【００２９】
本実施形態に特徴的な構成として、表紙２には、裏表紙３のインデックス部２２（２２Ａ、２２Ｂ、２２Ｃ）の位置（主保持部２０（２０Ａ、２０Ｂ、２０Ｃ）の位置）に対応する位置の所定領域において、筆記具（ボールペン等）による直接記入が可能な印刷が施されたメモ欄２８（２８Ａ、２８Ｂ、２８Ｃ）が設けられている。これによれば、書類の仕訳を行う際の表紙２への表示（記入）作業を簡易に行うことができる。また、表紙２を見れば、仕訳した複数の書類内容が一目で把握できるため、非常に便利である。
【００３０】
また、インデックス部２２（２２Ａ、２２Ｂ、２２Ｃ）にも、筆記具（ボールペン等）による直接記入が可能な印刷（表面処理）が施されている。したがって、書類の仕訳を行う際のインデックス部２２（２２Ａ、２２Ｂ、２２Ｃ）への表示（記入）作業を簡易に行うことができる。
【００３１】
なお、上記の表紙２およびインデックス部２２（２２Ａ、２２Ｂ、２２Ｃ）における当該印刷（表面処理）は、いずれか一方のみに施してもよく、他方には当該印刷（表面処理）を施さずに、従来のように、別のシールに記入してから貼り付ける構成としてもよい。
【００３２】
（第３の実施形態）
続いて、本発明の第３の実施形態に係る書類収納ファイル１について説明する。本実施形態に係る書類収納ファイル１は、前述の第１の実施形態と基本的な構成は同様であるが、特に、表紙２の構成において相違点を有する。以下、当該相違点を中心に本実施形態について説明する。ここで、本実施形態に係る書類収納ファイル１の概略図（斜視図）を図８に示す。
【００３３】
本実施形態に特徴的な構成として、表紙２には、書類の端部を挟み込むように保持する補助保持部２６が設けられている。より具体的には、図８に示すように、補助保持部２６は、表紙２の開口した一辺（右辺）１３（１３Ａ）寄りの端部領域において、外縁部２ａ側に設けられた起点２６ａから内方２ｂ側へ進んでから外縁部２ａ側に設けられた終点２６ｂに戻る連続線（切込み線）２６ｃで切込みが入れられることによって、当該連続線（切込み線）２６ｃと、起点２６ａと終点２６ｂとを結ぶ基線２６ｄとで囲まれる領域として形成されている。この構成によれば、基線２６ｄの位置を支点として、基線２６ｄの位置から最も離れた位置となる頂部２６ｅが裏表紙３側へ向かう方向に起立する動作が可能となる。したがって、表紙２と裏表紙３との間に書類を挟み込んだ後、補助保持部２６を起立させてから戻すように動作させることによって、補助保持部２６で書類の端部を挟み込んで保持することができる。
【００３４】
特に、表紙２が透明な樹脂材料で形成されている場合において、裏表紙３に設けられる主保持部２０（２０Ａ、２０Ｂ、２０Ｃ）により仕訳されて保持された複数の書類の内容（目次）を記入（印刷）した書類を用意して、表紙２の外側から視認可能なように当該補助保持部２６により保持させることによって、仕訳した複数の書類内容が一目で把握できる効果が得られる。また、表紙２への記入や貼付等の作業が不要となるため、非常に便利であると共に、表紙２の汚損や、貼付を行ったシールの紛失等の問題も解消することができる。
【００３５】
（第４の実施形態）
続いて、本発明の第４の実施形態に係る書類収納ファイル１について説明する。本実施形態に係る書類収納ファイル１は、前述の第１〜第３の実施形態と基本的な構成は同様である。以下、相違点を中心に本実施形態について説明する。ここで、図９は、本実施形態に係る書類収納ファイル１の例を示す概略図（正面図）である。また、図１０は、書類収納ファイル１の表紙２を開いた（めくった）状態の概略図（正面図）である。なお、便宜的に図９に示す位置における、左辺、右辺、上辺、下辺の語を用いて説明を行う。
【００３６】
本実施形態においては、裏表紙３における開口した右辺１３（１３Ｂ）に沿って（すなわち、右辺１３（１３Ｂ）と平行の方向に）所定の間隔をあけて主保持部２０が２個（第１の主保持部２０Ａ、および第２の主保持部２０Ｂ）設けられている。より具体的には、開口した右辺１３（１３Ｂ）において、当該右辺１３（１３Ｂ）と直交する開口した上辺１４側の位置に第１の主保持部２０Ａが配設されている。また、開口した右辺１３（１３Ｂ）において、当該右辺１３（１３Ｂ）と直交する閉じられた下辺１２側の位置に第２の主保持部２０Ｂが配設されている（前述の通り下辺は開口した辺であってもよい）。なお、主保持部２０が３個以上の変形例に適用することも可能である（不図示）。
【００３７】
ここで、第１の主保持部２０Ａは、基線２０ｄと頂部２０ｅとの長さＬ１が相対的に小さく形成されており、第２の主保持部２０Ｂは、基線２０ｄと頂部２０ｅとの長さＬ２が相対的に大きく形成されている。
【００３８】
また、主保持部２０（２０Ａ、２０Ｂ）が設けられる位置に対応して、裏表紙３の外縁部３ａには、外方側へ突出させたインデックス部２２（２２Ａ、２２Ｂ）が設けられている。
【００３９】
一方、本実施形態においては、表紙２に、補助保持部２６が１個設けられている。なお、一例として、補助保持部２６における基線２６ｄと頂部２６ｅとの長さＬ４は、第２の主保持部２０Ｂにおける基線２０ｄと頂部２０ｅとの長さＬ２と同じ長さに設定している。ただし、これに限定されるものではない。
【００４０】
また、外縁部２ａが設けられる位置に対応して、表紙２の外縁部２ａには、外方側へ突出させたインデックス部３０が設けられている。
【００４１】
ここで、本実施形態に特徴的な構成として、表紙２に直交する方向（図９における紙面に直交する方向）に視て、第１の主保持部２０Ａ、補助保持部２６、第２の主保持部２０Ｂがその順に、上辺１４側から下辺１２側へ向かう方向に所定間隔をあけて配設される構成を有している。
【００４２】
上記の構成によれば、書類の３分類、すなわち書類を３つに仕訳して収納することを好適に行うことができる。以下、収納動作について具体的に説明する。
先ず、図１１（ａ）に示すように、第１の書類（書類群）Ｐ１を表紙２と裏表紙３との間に収納する。次いで、図１１（ｂ）に示すように、上辺１４側の第１の主保持部２０（２０Ａ）を第１の書類Ｐ１（ここでは最上面の書類）よりも上まで起立させてから戻すことによって、第１の書類Ｐ１の端部（ここでは右端部）を挟み込んで保持を行う。
【００４３】
次いで、図１２（ａ）に示すように、第２の書類（書類群）Ｐ２を表紙２と先に第１の主保持部で保持された第１の書類Ｐ１（ここでは最上面の書類）との間に収納する。このままの状態でも分類は可能であるが、落出防止を図るストッパとして機能させる観点からも、図１２（ｂ）に示すように、下辺１２側の第２の主保持部２０（２０Ｂ）を第２の書類Ｐ２（ここでは最上面の書類）よりも上まで起立させてから戻すことによって、第２の書類Ｐ２の端部（ここでは右端部）を挟み込んで保持を行う（このとき、同時に第１の書類Ｐ１の端部（ここでは右端部）も挟み込んで保持を行うこととなる）。
【００４４】
次いで、図１３（ａ）に示すように、第３の書類（書類群）Ｐ３を表紙２と先に収納された状態の第２の書類Ｐ２（ここでは最上面の書類）との間に収納する。次いで、図１３（ｂ）に示すように、表紙２における補助保持部２６を第３の書類Ｐ３（ここでは最下面の書類）よりも下まで起立させてから戻すことによって、第３の書類Ｐ３の端部（ここでは右端部）を挟み込んで保持を行う。
【００４５】
このように、上記構成による収納方法によれば、表紙２と裏表紙３との間に形成される単一空間において、複数の書類を仕訳して収納することが可能となる。特に、２個の主保持部２０（２０Ａ、２０Ｂ）と補助保持部２６とを有する構成によって、第１の書類Ｐ１が裏表紙３と第１の主保持部２０Ａとの間に仕訳して収納でき、第２の書類Ｐ２が第１の主保持部２０Ａと補助保持部２６との間に仕訳して収納でき、第３の書類Ｐ３が補助保持部２６と表紙２との間に仕訳して収納できる。なお、前述の通り、第２の主保持部２０Ｂによって第２の書類Ｐ２を（同時に第１の書類Ｐ１も）保持させることによって、落出防止効果を得ることもできる。
【００４６】
したがって、特許文献３に例示されるように複数のシートを溶着等して内部を仕切る構成を設ける必要がないため、原材料コストは増加せず、加工コストも主保持部の形成つまり切込み線の追加のみで対応でき、コスト増を抑制できる。すなわち、きわめて簡素な構造によって、書類を３分類して仕訳可能な書類収納ファイルを好適に実現することが可能となる。
【００４７】
なお、本実施形態においても、前述の第２の実施形態と同様の構成を備えてもよい。すなわち、表紙２におけるインデックス部２２、３０の対応位置に、筆記具（ボールペン等）による直接記入が可能な印刷が施されたメモ欄２８を設けてもよい（図７と同様に構成すればよい）。また、インデックス部２２、３０に、筆記具（ボールペン等）による直接記入が可能な印刷（表面処理）を施してもよい（図７と同様に構成すればよい）。
【００４８】
以上説明した通り、本発明によれば、きわめて簡素な構成により製造コスト、すなわち原材料コストおよび加工コストの増加を抑えつつ、複数の書類を仕訳して収納することが可能な書類収納ファイルを実現することができる。
【００４９】
なお、本発明は、以上説明した実施例に限定されることなく、本発明を逸脱しない範囲において種々変更可能である。特に、収納対象として書類を例に挙げて説明したが、シート状の物品であれば書類と同様に収納することが可能である。
【符号の説明】
【００５０】
１  書類収納ファイル
２  表紙
３  裏表紙
１１  左辺（閉じられた一辺）
１２  下辺（閉じられた一辺）
１３、１３Ａ、１３Ｂ  右辺（開口した一辺）
１４、１４Ａ、１４Ｂ  上辺（開口した一辺）
２０、２０Ａ、２０Ｂ、２０Ｃ  主保持部
２０ａ  主保持部の起点
２０ｂ  主保持部の終点
２０ｃ  主保持部の切込み線
２０ｄ  主保持部の基線
２０ｅ  主保持部の頂部
２２、２２Ａ、２２Ｂ、２２Ｃ  インデックス部
２４  切欠き部
２６  補助保持部
２６ａ  補助保持部の起点
２６ｂ  補助保持部の終点
２６ｃ  補助保持部の切込み線
２６ｄ  補助保持部の基線
２６ｅ  補助保持部の頂部
２８、２８Ａ、２８Ｂ、２８Ｃ  メモ欄
３０  インデックス部
【図１】
2018058335.tif 000003
【図２】
2018058335.tif 000004
【図３】
2018058335.tif 000005
【図４】
2018058335.tif 000006
【図５】
2018058335.tif 000007
【図６】
2018058335.tif 000008
【図７】
2018058335.tif 000009
【図８】
2018058335.tif 000010
【図９】
2018058335.tif 000011
【図１０】
2018058335.tif 000012
【図１１】
2018058335.tif 000013
【図１２】
2018058335.tif 000014
【図１３】
2018058335.tif 000015